(57)【特許請求の範囲】
【請求項１】
複数サイズの転写紙を複写機へ供給するために移動可能なフェンスを有し複写機に脱着可能な給紙トレイにおいて、積載し得る最大サイズ紙のトレイセット方向を押さえる大サイズフェンスを上記移動可能なフェンスとは別に設け、該大サイズフェンスを脱着可能かつ取り付け方向を変えて最大サイズ紙以下の紙サイズにも対応可能としてなることを特徴とする給紙トレイ。
【請求項２】
上記大サイズフェンスがトレイセット方向に微小量移動可能なことを特徴とする請求項１の給紙トレイ。
【請求項３】
上記大サイズフェンスが用紙の当接するフェンス面を弾性部材によって支持してなる特徴とする請求項１または２の給紙トレイ。
【請求項４】
請求項１ないし３のいずれかの給紙トレイを用いたことを特徴とする画像形成装置。
【発明の詳細な説明】
【０００１】
【発明の属する技術分野】
本発明は複写機、プリンタ等の給紙装置に用いる給紙トレイに関する。
【０００２】
【従来の技術及び発明が解決しようとする課題】
従来の給紙トレイは、図５に示すように、積載する用紙３の束の搬送下流側に移動可能なサイドフェンス１が配置されていた。これはサイドフェンス１の移動方法がラック＆ピニオン方式であり、小サイズ紙から大サイズ紙まで効率よく用紙を押さえ得るためである。
【０００３】
ところが近年、給紙トレイはフロントローディングが当たり前となり、積載枚数も多い方が好まれる傾向にある。従って上記のような構成の給紙トレイにおいて、大サイズ紙を多数枚積載すると、トレイセット時に用紙束の慣性力によって用紙束が暴れるため、サイドフェンス１によって押さえられている搬送下流側に比べ、押さえの弱い搬送上流側の移動量が多く、スキュー発生の原因となっていた。
【０００４】
これに対し、最大サイズ紙の搬送上流側のみを押さえるために給紙トレイと一体成形されたフェンスを搭載するものが提案されているが、これでは、仕向け地によりＡ３バージョンとＤＬＴバージョンが発生し、型管理や部品管理が煩雑になるという問題がある。またこれら２つを合わせたフェンスを設けるものも製品化されているが、Ａ４Ｙサイズ通紙の場合に継ぎ足し積載によって積載しきれなかった余りの紙を、エンドフェンスより搬送上流側に一時的に置くのが習慣化しているユーザには、ＤＬＴ用のフェンスが邪魔になってしまうので不評であったし、一体成形ではＢ４サイズの対応は不可能であった。また、アナログ複写機などでは画像の横レジスト調整をトレイ上のフェンス位置を移動して行うものもあり、一体成形のフェンスでは対応不可能である。しかも、ユーザのトレイセット力にはかなりばらつきがあり、一体成形のフェンスの場合、セット力によっては用紙束がバウンドして逆方向のスキューを誘発することもあるという問題がある。
【０００５】
そこで本発明は上記従来の問題点に鑑み、仕向け地やユーザニーズに子部品レベルで対応できる給紙トレイを提供すること、従来のサイドフェンスによりスキュー補正可能なサイズ以上で最大サイズ未満のサイズ（例えばＢ４、ＬＧ）にも効果的にスキュー補正できる給紙トレイを提供すること、画像の横レジスト調整をトレイ上のフェンス位置を移動して行うアナログ複写機などでも大サイズ紙のスキューを効果的に押さえ得る給紙トレイを提供すること、及びユーザのトレイセット力のばらつきにある程度対応でき、用紙束がバウンドして逆方向のスキューを誘発することを抑制できる給紙トレイを提供することを目的とする。
【０００６】
【課題を解決するための手段】
本発明の給紙トレイのうち請求項１に係るものは、上記目的を達成するために、複数サイズの転写紙を複写機へ供給するために移動可能なフェンスを有し複写機に脱着可能な給紙トレイにおいて、積載し得る最大サイズ紙のトレイセット方向を押さえる大サイズフェンスを上記移動可能なフェンスとは別に設け、該大サイズフェンスを脱着可能かつ取り付け方向を変えて最大サイズ紙以下の紙サイズにも対応可能としてなることを特徴とする。
【０００７】
同請求項２に係るものは、上記目的を達成するために、上記大サイズフェンスがトレイセット方向に微小量移動可能なことを特徴とする。
【０００８】
同請求項３に係るものは、上記目的を達成するために、上記大サイズフェンスが用紙の当接するフェンス面を弾性部材によって支持してなる特徴とする。
【０００９】
同請求項４に係る画像形成装置は、上記目的を達成するために、請求項１ないし３のいずれかの給紙トレイを用いたことを特徴とする。
【００１０】
【発明の実施の形態】
以下本発明の実施の形態を図面を参照して説明する。なお以下では従来と共通する部分には共通する符号を付して説明する。
図１に本発明に係る給紙トレイの第１の実施の形態の構成を示す。図示の給紙トレイ２は、複数サイズの転写紙を複写機へ供給するために移動可能なフェンス１を持ち、複写機に脱着可能なものである。この給紙トレイ２は、積載し得る最大サイズの用紙３のトレイセット方向を押さえる大サイズフェンス４を、従来と同様の移動可能なサイドフェンス１とは別に設けてある。大サイズフェンス４は、給紙トレイ２から脱着可能であり、図１（Ｂ）に示すようにネジ５で締結する。なお、締結方法はトレイセット時の衝撃に耐え得るものであれば、スナップフイット等でもよい。
【００１１】
図２に本発明に係る給紙トレイの第２の実施の形態の構成を示す。本実施形態の大サイズフェンス４は、図２（Ａ）、（Ｂ）に示すように、２方向で取り付け可能であり、用紙がＡ３（ＤＬＴ）の場合は図２（Ｃ）のようにセットし、Ｂ４（ＬＧ）の場合は裏返しにして図２（Ｄ）のようにセットし、それぞれネジ５で締結する。即ち突部４ａの突出方向を変えることにより、それぞれのサイズで用紙の搬送上流側面を押さえる。なお図示の実施形態では突部４ａの段付き形状により２種類のサイズの用紙への対応が可能なものを示したが、横に倒す等、形状、取り付け態様を変えればさらに多くのサイズの用紙に対応可能である。
【００１２】
図３に本発明に係る給紙トレイの第３の実施の形態の構成を示す。本実施形態の大サイズフェンス４は、ネジ５での締結用穴６をトレイセット方向に伸びる長穴とし、この長穴の長さ分だけトレイセット方向に任意の位置で締結できるようにして、種々のサイズの用紙に対応できるようにしてある。また給紙トレイ２の底面には横レジストを調整するための目盛り８を設けてある。この目盛り８は、移動可能なサイドフェンス１の横レジスト調整用の目盛り７と同様のものである。これらの目盛りによって、横レジスト調整時に各フェンスの移動量をほぼ一定に保つ目安とすることができる。
【００１３】
図４に本発明に係る給紙トレイの第４の実施の形態の構成を示す。本実施形態の大サイズフェンス４は、用紙の当接するフェンス面９をスポンジや板バネ等の弾性部材１０によって支持している。またフェンス面９を樹脂で形成し、樹脂弾性を利用して弾性部材を一体成形することもできる。これにより給紙トレイセット時に用紙束がフェンス面９に衝突しても弾性部材１０によって衝突が緩和され用紙束のバウンドによる逆方向のスキューを防ぐことができる。なお、本実施形態では、大サイズフェンス４は給紙トレイと別体でなくても良いが、スポンジなどを使用する場合は別体であった方がリサイクル性の向上になる。
【００１４】
【発明の効果】
請求項１に係る給紙トレイは、以上説明してきたように、積載し得る最大サイズ紙のトレイセット方向を押さえる大サイズフェンスを移動可能なフェンスとは別に設けたことにより、大サイズ紙のスキューを緩和でき、さらにこの大サイズフェンスを脱着可能としたことにより、仕向け地毎の最大サイズや、例えばＡ４Ｙサイズ通紙の場合に継ぎ足し積載によって積載しきれなかった余りの紙をエンドフェンスより搬送上流側に一時的に置くといったユーザニーズに子部品で対応可能となり、大物部品である給紙トレイの共通化が可能になるという効果を奏する。またこの大サイズフェンスをスキュー性能要求の厳しいユーザや多人数使用などでセット力のばらつきを抑えられないユーザへの個別対応としてオプション化すれば、複写機等のベースとなる機種のコストダウンにもなるという効果がある。また大サイズフェンスの取り付け方向を変えると、最大サイズ紙以下の紙サイズにも対応可能としたことにより、上記共通の効果に加え、従来のサイドフェンスによりスキュー補正可能なサイズ以上で最大サイズ未満のサイズ（例えばＢ４、ＬＧ）にも効果的にスキュー補正できるという効果がある。
【００１５】
請求項２に係る給紙トレイは、以上説明してきたように、大サイズフェンスをトレイセット方向に微小量移動可能にしたことにより、上記共通の効果に加え、画像の横レジスト調整をトレイ上のフェンス位置を移動して行うアナログ複写機などでも大サイズ紙のスキューを効果的に押さえることができ、またデジタル複写機のように給紙トレイ上での横レジストが不要な場合でも、用紙束と大サイズフェンスの間の隙間量を調整できるため、セット力による用紙束のフェンスへの衝突の度合いを調整することができるという効果がある。
【００１６】
請求項３に係る給紙トレイは、以上説明してきたように、大サイズフェンスの用紙が当接するフェンス面を弾性部材によって支持したことにより、上記共通の効果に加え、ユーザのトレイセット力のばらつきにある程度対応でき、用紙束がバウンドして逆方向のスキューを誘発することを抑制できるという効果がある。
【００１７】
請求項４に係る画像形成装置は、以上説明してきたように、請求項１ないし３のいずれかの給紙トレイを用いたことにより、大サイズ紙のスキューを緩和できることに始まって上述した請求項１ないし３のいずれかの給紙トレイと共通の効果を奏する。
【図面の簡単な説明】
【図１】本発明に係る給紙トレイの第１の実施の形態の構成を示す平面図（Ａ）と要部拡大斜視図（Ｂ）である。
【図２】本発明に係る給紙トレイの第２の実施の形態の構成を示す平面図（Ａ）、（Ｂ）と要部拡大斜視図（Ｃ）、（Ｄ）である。
【図３】本発明に係る給紙トレイの第３の実施の形態の構成を示す平面図（Ａ）と要部拡大斜視図（Ｂ）である。
【図４】本発明に係る給紙トレイの第４の実施の形態の構成を示す要部拡大斜視図である。
【図５】従来の給紙トレイの平面図である。
【符号の説明】
１  移動可能なフェンス
２  給紙トレイ
３  用紙
４  大サイズフェンス
４ａ  突部
５  ネジ
６  締結用穴
７、８  目盛り
９  フェンス面
１０  弾性部材
【図１】
0003737632.tif 000002
【図２】
0003737632.tif 000003
【図３】
0003737632.tif 000004
【図４】
0003737632.tif 000005
【図５】
0003737632.tif 000006